(57)【特許請求の範囲】
【請求項１】
遊技盤の上部にパチンコ球を誘導するための誘導レールと、該誘導レールに向けてパチンコ球を発射するための発射手段と、該発射手段および誘導レール間にありパチンコ球を係止部材とともに係止するための前記発射手段側の一端部を前記誘導レール側の他端部より下方に傾斜させた発射レールとを有し、前記発射手段に設けられた杵先を前記発射レールの一端部に係止された係止球に衝突させることによってパチンコ球を打ち出すパチンコ機の発射装置において、
前記杵先を構成する打球部材の先端を導電材入りの合成樹脂で形成し、
前記打球部材は、一端面が打球面となる打球部と、他端面が開口して中空部を備えた筒状をなすコイルスプリング取り付け部とを有し、
前記打球部材を、前記発射手段に設けたピンの根本部に圧入固定されたコイルスプリングの内径に圧入して取り付け、前記ピンの先端部を前記中空部に挿入した状態で相互に移動可能に構成したことを特徴とするパチンコ機の発射装置。
【発明の詳細な説明】
【０００１】
【発明の属する技術分野】
本発明はパチンコ球を遊技盤に打ち出すために使用するパチンコ機の発射装置に関する。
【０００２】
【従来の技術】
パチンコ球を遊技盤に打ち出すために使用するパチンコ機の発射装置は、図６の（ａ）に示すように、一端が回転可能に軸Ｐに支持されたレバー状の支持部材（以下の説明ではこの支持部材を打球杵という）３７の他端に杵先Ｔ１が取り付けられて、この杵先Ｔ１が所定の回転角度で往復動作する回転動作型の発射装置と、図６の（ｂ）に示すように、ソレノイドＳＯＬの電磁筒５０の筒内５０ａを往復動作する可動軸５１の先端に杵先Ｔ２が取り付けられて、この杵先Ｔ２が往復動作する直線動作型の発射装置が使用されている。
回転動作型の発射装置に使用される杵先Ｔ１も直線動作型の発射装置に使用される杵先Ｔ２も共に、打球時の打球騒音を防止するため、その構造又は材質は「弾性又は、緩衝性」が必要であり、一般的には、杵先に鉄製のコイルスプリングやウレタン製の成型品（又は、合成ゴム）が使用されている。
【０００３】
【発明が解決しようとする課題】
ところが、杵先に鉄製のコイルスプリングを使用した場合には、コイルスプリングが電気の良導体の鉄である為、発射装置に帯電していた静電気（発射装置の発射動作で摩擦により生じた静電気）が、打球と同時に杵先より球を仲介して発射バンド機構へ急激に流れ、電子回路に有害なノイズを球の発射毎に発生させてしまう。
【０００４】
また、コイルスプリング製の杵先の端面には、コイル座加工が施されている。
この座面は打球方向に直角になるよう加工、工夫してあるが、つるまき構造のため剛性が無く、コイル座加工から、杵に組み立てるまでの工程で「打球面が打球方向に直角」の整列が狂い、更に中心部が欠落した環状の面で且つ、その環は真円でない為、球飛びの調整が難しく不正碓で不安定な発射機構となってしまう。
【０００５】
また、杵先にウレタンゴム製の成型品（又は、合成ゴム）を使用した場合には、ウレタンゴムが絶縁材である為、打球毎に静電気が放電されることは無いが、反面、静電気の逃げ場が無い為、静電気は蓄積され高電位と成り、発射装置で一番絶縁の低い所に集中して一気に放電し、強力で有害なノイズを間欠的に発生させる。
【０００６】
また、ウレタンゴム製の杵先は、打球の衝撃により急激な収縮、伸張を繰り返しそのとき多量の静電気を発生し、上記静電気の蓄積を増長する。また、ウレタンゴム製の杵先は、剛性が無いため、成型の精度及び、取り付け精度が悪く、打球面が打球方向に直角に整列せず、球飛び調整が困難で且つ、球飛びが不正確で不安定である。また、ウレタンゴム製の杵先は、温度の変化により反発係数が変わる為、温度変化で球飛びが変わつてしまうという間題点があった。
【０００７】
【課題を解決するための手段】
本発明は上記の間題点を解決する為になされたものであり、遊技盤の上部にパチンコ球を誘導するための誘導レールと、該誘導レールに向けてパチンコ球を発射するための発射手段と、該発射手段および誘導レール間にありパチンコ球を係止部材とともに係止するための前記発射手段側の一端部を前記誘導レール側の他端部より下方に傾斜させた発射レールとを有し、前記発射手段に設けられた杵先を前記発射レールの一端部に係止された係止球に衝突させることによってパチンコ球を打ち出すパチンコ機の発射装置において、前記杵先を構成する打球部材の先端を導電材入りの合成樹脂で形成し、前記打球部材は、一端面が打球面となる打球部と、他端面が開口して中空部を備えた筒状をなすコイルスプリング取り付け部とを有し、前記打球部材を、前記発射手段に設けたピンの根本部に圧入固定されたコイルスプリングの内径に圧入して取り付け、前記ピンの先端部を前記中空部に挿入した状態で相互に移動可能に構成したものである。
【０００８】
杵先をこのように構成することで静電気による有害ノイズの発生を阻止し、球飛びの精度と安定を保つことができる。
【０００９】
【発明の実施の形態】
以下、本発明の実施の形態について図面を参照して説明する。図１はパチンコ機１の概略を示す正面図であり、パチンコ機１は、外枠２の上側に窓部３を有して額縁状の前枠４を開閉可能に蝶着し、上記窓部３には金枠５を装着し、該金枠５の上方部分にはガラス６を装着したガラス枠７を蝶着すると共に、遊技盤８を後方から臨ませ、窓部３の下方部分には球を貯留する上皿９を有する上皿セットを設けたパネル１０を開閉可能に蝶着し、また前枠４の下方部分には打球杵１１を駆動して球を遊技盤８の表面の後述する誘導レール１２で囲まれる遊技部１３内へ打ち込むためのハンドル１４と上皿９から溢れた球を貯留する下皿１５等が配設された下皿セットを設けてなる。上記遊技盤８表面の誘導レール１２で囲まれた遊技部１３には可変表示装置１６や変動入賞装置１７等の各種役物や入賞具１８、或は風車１９等を配設し、最下位置にアウト口２０を配設する。尚、図１は、上記ガラス枠７及びパネル１０を開放した状態を示す。また、遊技部１３の外側には、飾り部材２２を設けて、賞球表示灯２３や完了表示灯２４を構成する発光部材の前面を被う装飾レンズ２５を設ける。
【００１０】
上皿９から流下する球は、図示していない球送り装置によって１個宛に発射レール２６の発射位置に供給され、打球発射装置の打球杵１１によって弾発される。上記発射レール２６は、誘導レール１２側の端部より下方に傾斜させて配置されて遊技盤載置台２７の前面側に設けられ、上端が下皿１５に連通するファール樋２８の開口上端に臨む。
【００１１】
ファール樋２８を介した発射レール２６の対岸には、誘導レール１２の基端が位置し、当該誘導レール１２は前記したように遊技盤８の表面にほゞ円形に延在する。
【００１２】
即ち、上記誘導レール１２は、上記ファール樋２８に基端が位置して、終端が跳ねゴム２９の位置にまでほゞ半円形に延在する外レール３０と、基端が跳ねゴム２９の所に位置し、アウト口２０の外側に接し、更に上記外レール３０との間に球が通過可能な間隔を設けて外レール３０の内側に沿って延在する内レール３１とからなる。尚、外レール３０と内レール３１とは、跳ねゴム２９の所で途切れていてもよいし、連続して形成してもよい。また、発射レール２６側の端部には、釘３４を通して止着するための筒状の止着部３５を形成する。
【００１３】
図２の（ａ），（ｂ）は本発明の第１の実施の形態を示し、（ａ）は、一端が回転可能に軸Ｐに支持されたレバー状の打球杵３７で杵先Ｔ３を所定の回転角度で往復動作する回転動作型の発射装置に適用したものであり、（ｂ）は杵先Ｔ３を拡大した部分断面図である。
【００１４】
図２において、レバー状の打球杵３７は金属製であり、その他端（回転軸Ｐと反対側の端部）には貫通孔３７ａが形成されている。この貫通孔３７ａにはスプリング取り付け用のピン４２が両端を突き出した状態で圧入されている。ピン４２は中途の部分に鍔部４２ｓが設けられ、この鍔部４２ｓが打球杵３７に当接した状態でピン４２は貫通孔３７ａに挿通し、貫通孔３７ａから突き出したピン４２の端部４２ｃには雄ネジが形成されており、この雄ネジにナット４２ｅが螺合してピン４２は打球杵３７の他端に固定されている。尚、４２ｄはワッシャである。そして、ピン４２の鍔部４２ｓ側から突き出した先端側には、先端部４２ｂが細く、根元部４２ａが太く形成し、打球方向に段差を有して突出するスプリング取り付け用のピン４２が形成されている。このピン４２の根元部４２ａにコイルスプリング３６の内径が圧入される。
【００１５】
打球部材Ｄ１は、導電材入りの合成樹脂製であり、コイルスプリング３６の外径と略同径に形成され端面が打球面Ｓ１となっている打球部３８と、この打球部３８に連続し外径がコイルスプリング３６の内径と略同径に形成され端面が開口（３８ｄ）した筒状をなすスプリング取り付け部３８ａとを有している。スプリング取り付け部３８ａの中空部３８ｂの奥の閉塞面にはスプリング取り付け部３８の外周面に達する貫通孔３８ｃが形成されている。打球部材Ｄ１は、そのスプリング取り付け部３８ａがピン４２の根元部４２ａに圧入固定されたコイルスプリング３６の反対側の端部の内径に圧入されて取り付けられるが、この際、打球部材Ｄ１の中空部３８ｂには、打球部材Ｄ１の端面の開口３８ｄからピン４２の鍔部４２ｓ側から突き出した先端部４２ｂが挿入され、打球部材Ｄ１は、ピン４２の先端部４２ｂを中空部３８ｂ内に挿入した状態での相互の移動が可能となり、コイルスプリング３６の変形する方向をピン４２の軸方向に規制する。
【００１６】
次に、この回転動作型の発射装置の打球杵３７を所定の回転角度で往復動作させた場合に、杵先Ｔ３が係止球Ｒを打球する時の動作について説明する。パチンコ機１では、係止球Ｒは球飛び（打球）方向Ａ１−Ａ１線上に配置されるが、打球部材Ｄ１の打球部３８の端面Ｓ１は、打球方向Ａ１−Ａ１に直角な打球面となるように配置される。そして、回転動作型の発射装置の打球杵３７を所定の回転角度で往復動作させると、打球部材Ｄ１は、図示のように係止球Ｒを打撃する。コイルスプリング３６はピン４２の軸方向に規制されて変形するので、打球部材Ｄ１の端面Ｓ１は、係止球Ｒを球飛び（打球）方向であるＡ１−Ａ１線に直角な面で打撃することになる。この際、打球部材Ｄ１は導電材入りの合成樹脂で形成され電流に対して抵抗を持たせているので、発射装置で発生した静電気が、打球と同時に杵先Ｔ３より、発射された球Ｒ及び、発射レール２６に急激に流れることは防止される。
【００１７】
図３の（ａ），（ｂ）は本発明の第２の実施の形態を示し、（ａ）は、ソレノイドＳＯＬの電磁筒５０の筒内を往復動作する可動軸５１に杵先Ｔ４を取付け、可動軸５１で杵先Ｔ４を往復動作する直線動作型の発射装置に適用したものであり、（ｂ）は杵先Ｔ４を拡大した部分断面図である。
図３において、電磁筒５０の筒外に位置する可動軸５１の一端部は筒内の径より細い径で端部に達しており、段差を有する。この一端部には、ウレタン、ゴム等で形成された筒状のストッパ部材ＳＴ２及びスプリング座Ｗが挿通されスプリング座Ｗから突出した可動軸５１の先端部にカシメ部Ｋが形成されて、可動軸５１の一端部にストッパ部材ＳＴ２が取り付けられている。このストッパ部材ＳＴ２はソレノイドＳＯＬを吸引した時に可動軸５１のストッパとして機能する。このストッパ部材ＳＴ２の外周部分には、吸引を解除したときにストッパ部材ＳＴ２を吸引前の元の位置に復帰させるコイルバネＳＰが嵌め込まれて配置されている。
また、可動軸５１の他端部は吸引時に電磁筒５０の筒内の途中までしか達しないが、可動軸５１の他端部には第１の実施の形態で説明したスプリング取り付け用のピン５１ａの一端部が螺合、又は、溶接等により固着されている。このピン５１ａの他端部は可動軸５１を延長して電磁筒５０の筒外に挿通している。電磁筒５０の筒外に位置するピン５１ａ他端部の途中にはスプリング係止用の鍔部５１ｂが形成されていて、この鍔部５１ｂの電磁筒５０側には鍔部５１ｂに当接してゴム製のストッパ部材ＳＴ１が嵌め込まれて固定され、ソレノイドＳＯＬが吸引を解除したときに可動軸５１の移動する位置を規制する。
【００１８】
このピン５１ａの鍔部５１ｂから先端部５２ｂ方向に突出する根元部５２ａには、コイルスプリング３６の内径が圧入される。打球部材Ｄ１は、第１の実施の形態で説明したものと同じものであるので、打球部材Ｄ１の構造についての説明は省略する。打球部材Ｄ１は、そのスプリング取り付け部３８ａが根元部５２ａに圧入固定されたコイルスプリング３６の反対側の端部の内径に圧入されて取り付けられるが、この際、打球部材Ｄ１の中空部３８ｂには、打球部材Ｄ１の端面の開口３８ｄからピン５１ａの鍔部５１ｂ側から突き出した先端部５２ｂが挿入され、打球部材Ｄ１は、ピン５１ａの先端部５２ｂを中空部３８ｂ内に挿入した状態での相互の移動が可能となり、コイルスプリング３６の変形する方向をピン５１ａの軸方向（直線方向）に規制する。
【００１９】
次に、この直線動作型の発射装置の可動軸５１をソレノイドＳＯＬの電磁筒５０の筒内を往復動作させた場合に、杵先Ｔ４が係止球Ｒを打球する時の動作について説明する。パチンコ機１では、係止球Ｒは球飛び（打球）方向Ａ２−Ａ２線上に配置されるが、打球部材Ｄ１の打球部３８の端面Ｓ１は、打球方向Ａ２−Ａ２に直角な打球面となるように配置される。そして、可動軸５１をソレノイドＳＯＬの電磁筒５０の筒内を往復動作させると、打球部材Ｄ１は、図示のように係止球Ｒを打撃する。コイルスプリング３６はピン４２の軸方向に規制されて直線方向に変形するので、打球部材Ｄ１の端面Ｓ１は、係止球Ｒを球飛び（打球）方向であるＡ２−Ａ２線に直角な面で打撃することになる。この際、打球部材Ｄ１は導電材入りの合成樹脂で形成され電流に対して抵抗を持たせているので、発射装置で発生した静電気が、打球と同時に杵先Ｔ４より、発射された球Ｒ及び、発射レール２６に急激に流れることは防止される。
【００２０】
図４は本発明の第３の実施の形態を示し、（ａ）は、一端が回転可能に軸Ｐに支持されたレバー状の打球杵３９で杵先Ｔ５を所定の回転角度で往復動作する回転動作型の発射装置に適用したものであり、（ｂ）は杵先Ｔ５を拡大した部分断面図である。
【００２１】
図４において、金属製でレバー状の打球杵３９の他端には貫通孔３９ａが形成されている。この貫通孔３９ａには、導電材入りの合成樹脂製で形成され、先端に打球部１３８ａを有する棒状の打球部材１３８が両端を突き出した状態で前後に摺動できるようにしている。打球部材１３８は、根元に形成された径の大きなスプリング係止用の鍔部１３８ｓから先端側に円筒状に突き出した打球部１３８ａと、他端側に打球部１３８ａより細い径で延長する棒状の支持部１３８ｂとからなり、打球杵３９から突き出した支持部１３８ｂの端部には、ワッシャ１５１を介して止め環１５５が嵌合されている。打球部１３８ａは端面が打球面Ｓ２となっている。また、打球杵３９からワッシャ１５２を介して突き出し、打球部１３８ａの鍔部１３８ｓに達する支持部１３８ｂの外周にはコイルスプリング１３５が配置されている。
【００２２】
次に、この回転動作型の発射装置の打球杵３９を所定の回転角度で往復動作させた場合に、杵先Ｔ５が係止球Ｒを打球する時の動作について説明する。
パチンコ機１では、係止球Ｒは球飛び（打球）方向Ａ３−Ａ３線上に配置されるが、打球部材１３８の先端の打球部１３８ａの端面は、打球方向Ａ３−Ａ３線に直角な打球面Ｓ２となるように配置される。そして、打球杵３９を所定の回転角度で往復動作させると、打球部１３８ａの打球面Ｓ２は、図示のように係止球Ｒを打撃する。コイルスプリング１３５は縮小変形するので、打球部１３８ａの端面Ｓ２は、係止球Ｒを球飛び（打球）方向であるＡ３−Ａ３線に直角な面で打撃することになる。この際、打球部１３８ａは導電材入りの合成樹脂で形成され電流に対して抵抗を持たせているので、発射装置で発生した静電気が、打球と同時に杵先Ｔ５より、発射された球Ｒ及び、発射レール２６に急激に流れることは防止される。
【００２３】
図５は本発明の第４の実施の形態を示し、（ａ）は、一端が回転可能に軸Ｐに支持されたレバー状の打球杵１３９で杵先Ｔ６を所定の回転角度で往復動作する回転動作型の発射装置に適用したものであり、（ｂ）は杵先Ｔ６を拡大した部分断面図である。
【００２４】
図５において、金属製でレバー状の打球杵１３９の他端には貫通孔１３９ａが形成されている。この貫通孔１３９ａの両端には、根元に形成された径の大きな鍔部から先端側に円筒状に突き出し、筒内部に貫通孔２５１ａ，２５２ａを有する樹脂製のブッシュ２５１，２５２が嵌合されている。ブッシュ２５１，２５２が嵌合された状態で貫通孔１３９ａには、先端に打球部２３８ａを有する棒状の打球部材２３８が両端を突き出した状態で前後に摺動できるようにしている。棒状の打球部材２３８は金属製で、先端に導電材入りの合成樹脂製で打球部２３８ａが一体成形されたものである。打球部２３８ａは、根元に形成された径の大きなスプリング係止用の鍔部２３８ｓから先端側に円筒状に突き出し、先端面が打球面Ｓ２となっている。打球杵１３９から突き出した打球部材２３８の端部には、ブッシュ２５２を介して止め環２５５が嵌合されている。また、打球杵１３９からブッシュ２５１を介して突き出し、打球部２３８ａの鍔部２３８ｓに達する打球部材２３８の外周にはコイルスプリング２３５が配置されている。
【００２５】
次に、この回転動作型の発射装置の打球杵１３９を所定の回転角度で往復動作させた場合に、杵先Ｔ６が係止球Ｒを打球する時の動作について説明する。
パチンコ機１では、係止球Ｒは球飛び（打球）方向Ａ４−Ａ４線上に配置されるが、打球部材２３８の先端の打球部２３８ａの端面Ｓ２は、打球方向Ａ４−Ａ４線に直角な打球面となるように配置される。そして、打球杵１３９を所定の回転角度で往復動作させると、打球部２３８ａの端面Ｓ２は、図示のように係止球Ｒを打撃する。コイルスプリング２３５は縮小変形するので、打球部２３８ａの端面Ｓ２は、係止球Ｒを球飛び（打球）方向であるＡ４−Ａ４線に直角な面で打撃することになる。この際、打球部２３８ａは導電材入りの合成樹脂で形成され電流に対して抵抗を持たせているので、発射装置で発生した静電気が、打球と同時に杵先Ｔ６より、発射された球Ｒ及び、発射レール２６に急激に流れることは防止される。
【００２６】
【発明の効果】
以上説明したように、本発明によれば、係止球Ｒを球飛び（打球）方向に直角な面で打撃することができ、正確で安定した球飛びを得る。
また、打球部は導電材入りの合成樹脂で形成され電流に対して抵抗を持たせているので、発射装置で発生した静電気が、打球と同時に杵先、発射された球及び、発射レールに急激に流れることは防止される。
【図面の簡単な説明】
【図１】パチンコ機のガラス枠及びパネルを開放した状態を示す概略正面図である。
【図２】（ａ）は本発明の第１の実施の形態を示す概略図である。
（ｂ）は（ａ）に示した杵先を拡大した部分断面図である。
【図３】（ａ）は本発明の第２の実施の形態を示す概略図である。
（ｂ）は（ａ）に示した杵先を拡大した部分断面図である。
【図４】（ａ）は本発明の第３の実施の形態を示す概略図である。
（ｂ）は（ａ）に示した杵先を拡大した部分断面図である。
【図５】（ａ）は本発明の第４の実施の形態を示す概略図である。
（ｂ）は（ａ）に示した杵先を拡大した部分断面図である。
【図６】（ａ）は回転動作型の発射装置の従来例を示す概略図である。
（ｂ）は直線動作型の発射装置の従来例を示す概略図である。
【符号の説明】
１  パチンコ機
２  外枠
３  窓部
４  前枠
５  金枠
６  ガラス
７  ガラス枠
８  遊技盤
９  上皿
１０  パネル
ｌ１  打球杵
ｌ２  誘導レール
１３  遊技部
１４  ハンドル
１５  下皿
１６  可変表示装置
１７  変動入賞装置
１８  入賞具
１９  風車
２０  アウト口
２２  飾り部材
２３  賞球表示灯
２４  完了表示灯
２５  装飾レンズ
２６  発射レール
２７  遊技盤載置台
２８  ファール樋
２９  跳ねゴム
３０  外レール
３１  内レール
３４  釘釘
３５  止着部
３６  コイルスプリング
３７，３９  打球杵
３７ａ，３９ａ  貫通孔
３８  打球部
３８ａ  スプリング取り付け部
３８ｂ  中空部
３８ｃ  貫通孔
３８ｄ  開口
４２  ピン
４２ａ  根元部
４２ｂ  先端部
４２ｃ  端部
４２ｄ  ワッシャ
４２ｅ  ナット
４２ｓ  鍔部
５０  電磁筒
５１  可動軸
５１ａ  ピン
５１ｂ  鍔部
５２ａ  根元部
５２ｂ  先端部
１３５  コイルスプリング
１３８  打球部材
１３８ａ  打球部
１３８ｂ  支持部
１３８ｓ  鍔部
１３９  打球杵
１３９ａ  貫通孔
１５１  ワッシャ
１５５  止め環
２３５  コイルスプリング
２３８  打球部材
２３８ａ  打球部
２３８ｓ  鍔部
２５１，２５２  ブッシュ
２５１ａ，２５２ａ  貫通孔
Ｄ１  打球部材
Ｋ  カシメ部
Ｐ  軸
Ｒ  係止球（球）
Ｓ１，Ｓ２  打球面（端面）
ＳＯＬ  ソレノイド
ＳＴ１  ストッパ部材
ＳＴ２  ストッパ部材
ＳＰ  コイルバネ
Ｔ３，Ｔ４，Ｔ５，Ｔ６  杵先
Ｗ  スプリング座
【図１】
0004671545.tif 000002
【図２】
0004671545.tif 000003
【図３】
0004671545.tif 000004
【図４】
0004671545.tif 000005
【図５】
0004671545.tif 000006
【図６】
0004671545.tif 000007